(57)【特許請求の範囲】
【請求項１】
固定掴持部を有する本体と、
本体の固定掴持部に対して進退駆動される可動掴持部と、
本体に螺合すると共に可動掴持部に連結され、この可動掴持部に対して回転自在かつ軸方向に一体移動可能なネジ軸部と、
ネジ軸部に連結され、このネジ軸部を回転駆動する操作を受ける操作部と、
固定掴持部と可動掴持部との間の掴持スペースに開口が臨むように本体に固定された鞘部とを備えることを特徴とするキャップ付ストッパ。
【請求項２】
請求項１に記載のキャップ付ストッパにおいて、
鞘部は開口側端部にフランジを有し、このフランジが本体の側面にネジ止めされていることを特徴とするキャップ付ストッパ。
【発明の詳細な説明】
【技術分野】
【０００１】
本発明は、被覆架線の切り分け工事に用いられるキャップ付ストッパに関する。
【背景技術】
【０００２】
被覆架線の切り分け工事では、図１１に示すように、被覆架線９の２箇所を一対の掴線器１２ａ、１２ｂで掴持し、これらの掴線器１２ａ、１２ｂに両端が接続された伸縮器１３を収縮駆動して被覆架線９を湾曲させ、この被覆架線９の湾曲部を切断し、２つの切断端部を振り分け器１４ａ、１４ｂによって振り分けている。切断端部では、図１２に拡大して示すように、被覆部１０を皮剥ぎして芯線１１を露出させ、この芯線１１に、被覆部１０の切断端面に隣接する位置にストッパ１７を固定している。このストッパ１７により、被覆部１０の掴線器１２ｂで掴持された部分が被覆部１０の他の部分から引き千切られることがあっても、その掴持された部分の移動を阻止して、引き千切られた被覆部１０が芯線１１から抜け落ちてしまう不都合を防止している（例えば、特許文献１参照）。皮剥ぎによって露出した芯線１１の先端部分には、危険防止のためのキャップ１８を取り付けている。
【０００３】
上記ストッパ１７は、固定掴持部７１が一体形成されたストッパ本体７２と、固定掴持部７１に向かって進退駆動される可動掴持部７３と、この可動掴持部７３に連結されてストッパ本体７２に螺合したネジ軸部７４と、このネジ軸部７４の先端に固定された操作部７５を備える。
【０００４】
また、上記キャップ１８は、図１３（ａ）の側面図及び図１３（ｂ）の正面図に示すように、芯線１１の先端部分を収容する鞘部８１と、この鞘部８１の開口側の端部に一体形成されたクリップ支持部８２と、このクリップ支持部８２に取り付けられたクリップ片８３，８３を備える。クリップ支持部８２は、鞘部８１の軸線上に位置して芯線１１が挿入される挿入開口８２ａと、鞘部８１の軸直角方向に突出してクリップ片８３，８３の揺動軸８４を支持する軸支持部８２ｂを有する。クリップ片８３は、クリップ支持部８２内に収容された挟持部８３ａと、クリップ支持部８２から外側に突出した操作部８３ｂとを有し、この挟持部８３ａと操作部８３ｂとの間の部分が揺動軸８４に枢着されている。２つのクリップ片８３は、揺動軸８４に挿通された捩りバネ８５によって、挟持部８３ａが互いに近づく方向に付勢されている。
【０００５】
上記ストッパ１７及びキャップ１８は、次のようにして芯線１１に取り付ける。
【０００６】
まず、皮剥ぎをした被覆部１０の切断端面に隣接するようにストッパ１７を芯線１１に配置し、図示しない遠隔棒を操作部７５に係合させて、遠隔棒で操作部７５を回転操作する。これにより、可動掴持部７３を固定掴持部７１に向かって駆動し、この固定掴持部７１と可動掴持部７３とで芯線１１を圧迫挟持して、ストッパ１７を芯線１１に固定する。
【０００７】
この後、キャップ１８の２つのクリップ片８３の操作部８３ｂを図示しない遠隔棒で挟み、図１３（ａ）において想像線で示すように、捩りバネ８５の付勢力に抗して２つのクリップ片８３を揺動させて、２つの挟持部８３ａを互いに離隔する。この状態で、芯線１１の先端を挿入開口８２ａから２つの挟持部８３ａの間を通して鞘部８１内に挿通させて、芯線１１の先端部分にキャップ１８を装着する。この後、遠隔棒を操作してクリップ片８３の操作部８３ｂの挟み操作を解除し、捩りバネ８５の付勢力によって芯線１１を２つの挟持部８３ａで挟んで、キャップ１８を芯線１１に固定する。
【特許文献１】特開２００２−２７６２４号公報
【発明の開示】
【発明が解決しようとする課題】
【０００８】
しかしながら、上記ストッパ１７及びキャップ１８は、芯線１１への固定部品をそれぞれ備えるので部品点数が多く、コスト高になりやすいという問題がある。また、芯線１１にストッパ１７及びキャップ１８を取り付ける際、ストッパ１７を配置して固定する操作と、キャップ１８を配置して固定する操作を順次行う必要があるので、作業に手間がかかるという問題がある。
【０００９】
そこで、本発明の課題は、被覆架線の切り分け工事に用いられ、少ない部品点数で被覆部の抜け落ち防止と芯線の露出に伴う危険の防止を行うことができ、また、取り付け作業の手間を削減できるキャップ付ストッパを提供することにある。
【課題を解決するための手段】
【００１０】
上記課題を解決するため、本発明のキャップ付ストッパは、固定掴持部を有する本体と、本体の固定掴持部に対して進退駆動される可動掴持部と、本体に螺合すると共に可動掴持部に連結され、この可動掴持部に対して回転自在かつ軸方向に一体移動可能なネジ軸部と、ネジ軸部に連結され、このネジ軸部を回転駆動する操作を受ける操作部と、固定掴持部と可動掴持部との間の掴持スペースに開口が臨むように本体に固定された鞘部とを備えることを特徴としている。
【００１１】
上記構成によれば、被覆架線の切り分け工事に用いられる場合、まず、被覆架線が一対の掴線器で掴持され、この一対の掴線器が伸縮器で引き寄せられて被覆架線の湾曲部分が形成され、この被覆架線の湾曲部分が切断される。この被覆架線の切断端部の被覆部が皮剥ぎされて露出した芯線に、上記構成のキャップ付ストッパが取り付けられる。まず、切断端部の芯線の先端を、固定掴持部と可動掴持部との間の掴持スペースを通して、この掴持スペースに臨む開口から鞘部内に収容して、この芯線の先端部分にキャップ付ストッパを装着する。このとき、本体の鞘部と反対側の側面が被覆部の切断端面に接するように、芯線の長さを予め設定しておく。続いて、遠隔棒を操作部に係合させて、この遠隔棒によって操作部を回転操作する。これにより、ネジ軸部が回転駆動され、可動掴持部がネジ軸部の軸方向に移動することにより、可動掴持部が固定掴持部に向かって駆動される。可動掴持部が固定掴持部に向かって駆動されるに伴い、可動掴持部と固定掴持部は、掴持スペースに位置する芯線の外側面に当接し、この芯線の外側面を圧迫して、この芯線を挟持する。こうして、キャップ付ストッパが芯線に固定される。
【００１２】
このキャップ付ストッパは、被覆部の切断端面に本体が隣接した状態で芯線に固定されるので、例えば被覆部の掴線器で掴持された部分が被覆部の他の部分から引き千切られることがあっても、この被覆部の掴持された部分の移動を阻止して、引き千切られた被覆部が芯線から抜け落ちてしまう不都合を防止できる。また、鞘部で芯線の先端部分を覆うので、感電等の危険を防止できる。
【００１３】
このキャップ付ストッパは、固定掴持部及び可動掴持部で芯線に固定できるので、固定用部品をそれぞれ備えた従来の別体のストッパ及びキャップよりも、部品点数を少なくできて、コスト低減を行うことができる。
【００１４】
また、このキャップ付ストッパは、芯線の先端部分に配置した後、操作部を例えば遠隔棒で操作するのみによって固定できるので、従来のようにストッパを配置して固定する操作と、キャップを配置して固定する操作を順次行うよりも、取り付け作業の手間を削減できる。
【００１５】
一実施形態のキャップ付ストッパは、鞘部は開口側端部にフランジを有し、このフランジが本体の側面にネジ止めされている。
【００１６】
上記実施形態によれば、簡易な構成によって鞘部を本体に固定できるので、容易に組み立てることができ、コストを削減できる。
【発明の効果】
【００１７】
本発明によれば、被覆架線の切り分け工事において、少ない部品点数で被覆部の抜け落ち防止と、芯線の露出による危険の防止ができ、さらに、芯線への取り付け作業の手間を削減できる。
【発明を実施するための最良の形態】
【００１８】
以下、本発明の実施形態を、図面を参照しながら詳細に説明する。図１は、本発明の実施形態としてのキャップ付ストッパを示す斜視図である。図２はキャップ付ストッパを示す正面図であり、図３はキャップ付ストッパを示す平面図である。図４はキャップ付ストッパを示す左側面図であり、図５はキャップ付ストッパを示す右側面図である。図６はキャップ付ストッパを示す背面図であり、図７はキャップ付ストッパを示す底面図である。図８は、キャップ付ストッパを、鞘部の軸線とネジ部の軸線とを含む平面で切断し、正面から見た様子を示す正断面図である。
【００１９】
本実施形態のキャップ付ストッパ１は、被覆架線の切り分け工事において、被覆電線の切断端部に固定されて、被覆部の芯線からの脱落防止と芯線の露出に伴う危険の防止を行うものである。このキャップ付ストッパ１は、固定掴持部２１を有する本体２と、この本体２の固定掴持部２１に対して進退駆動される可動掴持部３と、この可動掴持部３に連結されて本体２に螺合するネジ軸部４と、このネジ軸部４を操作するための操作部５と、本体２に固定された鞘部６とで大略構成されている。
【００２０】
上記本体２は、側面視において概ねＣ字形状を有し、上部の背面側から正面側に向かって突出する部分が固定掴持部２１になっている。固定掴持部２１の下側面には、芯線１１を保持するための浅いＶ字溝２２が設けられている。また、本体２の内側面には、固定掴持部２１の付け根の近傍に、芯線１１を保持するための浅い丸溝２３が設けられている。本体２の下部には、固定掴持部２１に向かって延びる貫通穴２４が形成され、この貫通穴２４の内側面に設けられた雌ネジに、ネジ軸部４の外周面の雄ネジが螺合している。
【００２１】
上記可動掴持部３は、正面視において長方形の下端両側の角が面取りされたような六角形状を有し、上側面が固定掴持部２１の下側面に対向するように配置されている。可動掴持部３の上側面には、芯線１１を保持するための浅い丸溝３１が形成されている。可動掴持部３の下側面には、上側面に向かって延びる有底孔３２が形成され、この有底孔３２内にネジ軸部４の上端部が収容されて連結されている。
【００２２】
上記ネジ軸部４は、上半が可動掴持部３の有底孔３２内に収容される小径部４１と、この小径部４１の下端に連なり、外周面に雄ねじが設けられたネジ切り部４２と、このネジ切り部４２の下端に連なり、操作部５が外嵌する大径部４３を有する。小径部４１の外周面の上端近傍には、図８に示すように、周方向に延びる係合溝４１ａが設けられている。可動掴持部３には、正面から有底孔３２と交差して内周面の接線方向に延びる係合ネジ孔が設けられている。可動掴持部３の有底孔３２内にネジ軸部４の小径部４１が収容された状態で、係合ネジ４５が係合ネジ孔に挿通され、ネジ軸部４の係合溝４１ａと平面視において弦をなすように係合している。これにより、ネジ軸部４が可動掴持部３に対して回転可能に連結されている。ネジ軸部４の小径部４１の可動掴持部３から突出した部分には、外側にワッシャ４４が配置されている。
【００２３】
上記操作部５は、ネジ軸部４の大径部４３に外嵌固定される小径筒部５１と、この小径筒部５１の下端に連なる大径筒部５２を有する。大径筒部５２の正面側と背面側に、概ねＴ字状を有して遠隔棒に係合される係合溝５２ａがそれぞれ設けられている。
【００２４】
上記鞘部６は、一端から他端に向かって順に、小径筒部６１と、他端に向かって径が拡大する円錐筒部６２と、筒状の大径筒部６３と、フランジ部６４とを有する。フランジ部６４には２つのネジ孔６４ａ，６４ａが設けられており、このネジ孔６４ａに挿通された取り付けネジ６５によって、鞘部６が本体２の側面に固定されている。これにより、鞘部６のフランジ６４の内側に位置する開口６６が、本体２の固定掴持部２１と可動掴持部３との間の掴持スペースに臨んでいる。
【００２５】
上記構成のキャップ付ストッパ１は、被覆架線の切り分け工事において、図９及び１０に示すように使用される。
【００２６】
まず、被覆架線９の２箇所を一対の掴線器１２ａ、１２ｂで掴持し、これらの掴線器１２ａ、１２ｂに両端が接続された伸縮器１３を収縮駆動して、被覆架線９の掴線器１２ａ、１２ｂで掴持された２箇所の間の部分を湾曲させる。続いて、この被覆架線９の湾曲部を切断し、２つの切断端部を、振り分け器１４ａ、１４ｂによって伸縮器１３の軸回りに例えば１８０°の角度差をなすように振り分ける。この後、切断端部の被覆部１０を皮剥ぎして芯線１１を露出させる。
【００２７】
ここで、芯線１１の露出長さは、芯線１１にキャップ付ストッパ１が装着されたとき、被覆部１０の切断端面に、本体２の鞘部６が固定された側面と反対の側面が接する長さに調整しておく。つまり、芯線１１の露出長さを、本体２の幅方向の寸法と、鞘部６内において芯線１１を挿入可能な軸方向距離との合計よりも短くしておく。
【００２８】
このような露出長さに調整した芯線１１に、キャップ付ストッパ１を装着する。キャップストッパ１においては、予め可動掴持部３を固定掴持部２１から離隔させて、固定掴持部２１と可動掴持部３との間に掴持スペースを設けておく。この掴持スペースを通して、開口６６から鞘部６内に芯線１１の先端を挿通させて、芯線１１にキャップ付ストッパ１を装着する。このようにして、本体２の側面が被覆部１０の切断端面に接するようにキャップ付ストッパ１を芯線１１に装着した後、操作部５の係合溝５２ａに遠隔棒のフックを係合させて、この遠隔棒を介して操作部５を回転操作する。これにより、ネジ軸部４を回転させて螺進させ、可動掴持部３を固定掴持部２１に向かって駆動して、芯線１１の外側面を可動掴持部３と固定掴持部２１で圧迫する。こうして、キャップ付ストッパ１が芯線１１に固定される。
【００２９】
本実施形態のキャップ付ストッパ１は、被覆部１０の切断端面に本体２の側面が接した状態で芯線１１に固定されるので、例えば被覆部１０の掴線器１２ａで掴持された部分が被覆部１０の他の部分から引き千切られることがあっても、この被覆部１０の掴持された部分の移動を阻止することができる。したがって、引き千切られた被覆部１０や掴線器１２ａ等が芯線１１から脱落して落下する不都合を防止できる。また、鞘部６で芯線１１の先端部分を覆うので、芯線１１の露出に起因する感電等の危険を防止できる。
【００３０】
また、本実施形態のキャップ付ストッパ１は、可動掴持部３と固定掴持部２１で芯線１１に固定できる。したがって、従来のように別体に形成されて、固定部品としての固定掴持部７１と可動掴持部７３を有するストッパ１７と、固定用部品としてのクリップ支持部８２とクリップ片８３と揺動軸８４と捩りバネ８５を有するキャップ１８とを用いるよりも、部品点数を大幅に削減でき、コスト削減ができる。
【００３１】
また、本実施形態のキャップ付ストッパ１は、芯線１１に装着する操作と、遠隔棒による操作部５の回転操作のみによって芯線１１に固定できる。したがって、従来のようにストッパ１７を芯線１１に装着して遠隔棒で操作部７５を回転操作して固定し、さらに、キャップ１８の操作部１８ｅを遠隔棒で挟んだ状態でキャップ１８を芯線１１に装着した後、操作部１８ｅの挟み操作を解除して固定するよりも、取り付け作業の手間を大幅に削減できる。
【図面の簡単な説明】
【００３２】
【図１】本発明の実施形態としてのキャップ付ストッパを示す斜視図である。
【図２】キャップ付ストッパを示す正面図である。
【図３】キャップ付ストッパを示す平面図である。
【図４】キャップ付ストッパを示す左側面図である。
【図５】キャップ付ストッパを示す右側面図である。
【図６】キャップ付ストッパを示す背面図である。
【図７】キャップ付ストッパを示す底面図である。
【図８】キャップ付ストッパを、鞘部の軸線とネジ部の軸線とを含む平面で切断し、正面から見た様子を示す正断面図である
【図９】被覆架線の切り分け工事におけるキャップ付ストッパの使用状態を示す図である。
【図１０】キャップ付ストッパが取り付けられた被覆架線の切断端部を拡大して示す図である。
【図１１】被覆架線の切り分け工事における従来のストッパ及びキャップの使用状態を示す図である。
【図１２】従来のストッパ及びキャップが取り付けられた被覆架線の切断端部を拡大して示す図である。
【図１３】図１３（ａ）は従来のキャップを示す側面図であり、図１３（ｂ）は従来のキャップを示す正面図である。
【符号の説明】
【００３３】
１  キャップ付ストッパ
２  本体
３  可動掴持部
４  ネジ軸部
５  操作部
６  鞘部
９  被覆架線
１０  被覆部
１１  芯線
２１  固定掴持部
【図１】
0005043729.tif 000002
【図２】
0005043729.tif 000003
【図３】
0005043729.tif 000004
【図４】
0005043729.tif 000005
【図５】
0005043729.tif 000006
【図６】
0005043729.tif 000007
【図７】
0005043729.tif 000008
【図８】
0005043729.tif 000009
【図９】
0005043729.tif 000010
【図１０】
0005043729.tif 000011
【図１１】
0005043729.tif 000012
【図１２】
0005043729.tif 000013
【図１３】
0005043729.tif 000014